(57)【要約】  光学的装置が、方向を持った軸線（１３）を有する回転可能な軸（１０）の監視のために用いられる。光学的装置が、回転可能な軸（１０）上に配置されかつ少なくとも１つの光センサ（２１）を備えさせられた少なくとも１つの光導波路（２０）を含み、光導波路（２０）を介して少なくとも１つの光センサ（２１）が光信号（ＬＳ）により照会可能である。更に、光学的装置が、回転可能な軸（１０）に関連して位置固定配置された送信／受信ユニット（４０）を含み、送信／受信ユニット（４０）により光信号（ＬＳ）が送信可能である。更に、光学的装置が伝送手段を含み、伝送手段により、位置固定配置された送信／受信ユニット（４０）と回転可能な軸（１０）上に配置された光導波路（２０）との間で光信号（ＬＳ）が伝送可能であり、光学的装置が、送信／受信ユニット（４０）に付設された評価ユニット（４３）を含み、評価ユニット（４３）が、少なくとも１つの光センサ（２１）から到来しかつ伝送手段によって伝送される光信号（ＬＳ’）から物理量を決定する。更に、伝送手段が、回転可能な軸（１０）に関連して位置固定配置され、送信／受信ユニット（４０）に付設され、かつ付設の結合手段（３０Ｋ）を備えた少なくとも１つのマルチモード光導波路（３０）と、回転可能な軸（１０）上にそれの軸線（１３）に対して離心配置され、少なくとも１つの光導波路（２０）に接続され、かつ付設の結合手段（３１Ｋ）を備えた少なくとも１つの他のマルチモード光導波路（３１）とを有する。そして光信号（ＬＳ，ＬＳ’）が結合手段（３０Ｋ，３１Ｋ）を介してマルチモード光導波路（３０，３１）間で伝送可能である。
2010502967.tif 000002
【特許請求の範囲】
【請求項１】
方向を持った軸線（１３）を有する回転可能な軸（１０）の監視のための光学的装置であって、
光学的装置が、回転可能な軸（１０）上に配置されかつ少なくとも１つの光センサ（２１）を備えさせられた少なくとも１つの光導波路（２０）を含み、光導波路（２０）を介して少なくとも１つの光センサ（２１）が光信号（ＬＳ）により照会可能であり、
光学的装置が、回転可能な軸（１０）に関連して位置固定配置された送信／受信ユニット（４０）を含み、送信／受信ユニット（４０）により光信号（ＬＳ）が送信可能であり、
光学的装置が伝送手段を含み、伝送手段により、位置固定配置された送信／受信ユニット（４０）と回転可能な軸（１０）上に配置された光導波路（２０）との間で光信号（ＬＳ）が伝送可能であり、
光学的装置が、送信／受信ユニット（４０）に付設された評価ユニット（４３）を含み、評価ユニット（４３）が、少なくとも１つの光センサ（２１）から到来しかつ伝送手段によって伝送される光信号（ＬＳ’）から物理量を決定し、
伝送手段が、
回転可能な軸（１０）に関連して位置固定配置され、送信／受信ユニット（４０）に付設され、かつ付設の結合手段（３０Ｋ）を備えた少なくとも１つのマルチモード光導波路（３０）と、
回転可能な軸（１０）上にそれの軸線（１３）に対して離心配置され、少なくとも１つの光導波路（２０）に接続され、かつ付設の結合手段（３１Ｋ）を備えた少なくとも１つの他のマルチモード光導波路（３１）と、
を有し、そして
光信号（ＬＳ，ＬＳ’）が結合手段（３０Ｋ，３１Ｋ）を介してマルチモード光導波路（３０，３１）間で伝送可能である光学的装置。
【請求項２】
少なくとも１つの光センサ（２１）が少なくとも１つのファイバブラッググレーティングセンサであり、少なくとも１つの光導波路（２０）が少なくとも１つのシングルモード光導波路であることを特徴とする請求項１記載の光学的装置。
【請求項３】
少なくとも１つのシングルモード光導波路（２０）に沿った異なる個所における多数のファイバブラッググレーティングセンサ（２１）を有することを特徴とする請求項２記載の光学的装置。
【請求項４】
回転可能な軸（１０）上に配置された少なくとも１つのマルチモード光導波路（３１）が多数のシングルモード光導波路（２０）に接続されていることを特徴とする請求項２又は３記載の光学的装置。
【請求項５】
ファイバブラッググレーティングセンサ（２１）が互いに異なるブラッグ波長を有することを特徴とする請求項３又は４記載の光学的装置。
【請求項６】
送信／受信ユニット（４０）から送信可能な光信号（ＬＳ）が可視波長範囲からなる波長および／または近赤外線波長範囲を有することを特徴とする請求項１乃至５の１つに記載の光学的装置。
【請求項７】
送信／受信ユニット（４０）から送信可能な光信号（ＬＳ）が少なくとも１つの光パルスであることを特徴とする請求項１乃至６の１つに記載の光学的装置。
【請求項８】
評価ユニット（４３）が少なくとも１つのＣＣＤ列を備えた光学的スペクトロメータを有することを特徴とする請求項１乃至７の１つに記載の光学的装置。
【請求項９】
評価ユニット（４３）が少なくとも１つの光検出器を備えた少なくとも１つの相補的なエッジフィルタを有することを特徴とする請求項１乃至７の１つに記載の光学的装置。
【発明の詳細な説明】
【技術分野】
【０００１】
本発明は、方向を持った軸線を有する回転可能な軸の監視のための光学的装置に関する。
【０００２】
例えば、駆動軸および発電機軸におけるような回転部分における温度およびひずみの測定がいっそう重要性を増している。とういのは、ますます高い出力要求に基づいてこれらの部分が負荷限界にまで作動させられるからである。一般にこのために、例えば熱電対のような通常の電気的な温度センサおよび、例えば圧電センサのような電気的なひずみセンサが使用される。この場合に先ずセンサ信号が軸上において調整されなければならない。これは、一般に特別な測定増幅器により行なわれる。無線通信伝送またはＩＲ伝送により、そのように調整された測定信号が、軸から、軸に関連して位置固定配置された送信／受信ユニットに送信される。このために軸上においてそこに配置された電子構成部品を駆動可能にするためにどんな場合にも補助エネルギーが供給されなければならない。これは、例えばバッテリによって行なわれ、あるいは誘導性伝送器によっても行なわれる。全体的にこれにより大きな費用がかかる。高速回転軸の場合には非常に高い遠心力が発生し得るために、相応の電子構成部品がこれらの極端な条件に適合化されなければならない。電子構成部品は一般にカプセル封入されている。
【０００３】
高速回転部分におけるこの種の測定のために、電子センサの代わりに、例えばＦＢＧセンサ（ＦＢＧ：Ｆａｓｅｒ−Ｂｒａｇｇ−Ｇｉｔｔｅｒ、ファイバブラッググレーティング）のような光導波路に基づく光センサを使用することは公知である。この場合に、位置固定配置された光送信／受信ユニットと回転軸との間における入射もしくは出射が特に困難であることがわかった。このために、例えば回転軸端面に配置された軸方向の光伝送器が適していて、光伝送器が、２つのコリメータにより、軸に関連して位置固定配置された送信／受信ユニットと、回転軸上に配置された光導波路との間で光信号を伝送する。両コリメータは、回転しない部分と回転可能部分とにより構成されている共通なハウジングの中に配置されている。しかしながら、この種の光伝送器は、端面がアクセス可能でない軸における測定には適していない。
【０００４】
本発明の課題は、頑丈であって軸に沿って汎用的に使用可能である回転可能な軸の監視のための光学的装置を提供することにある。
【０００５】
この課題は、本発明によれば、請求項１に述べられた特徴により解決される。
【０００６】
本発明による光学的装置は、方向を持った軸線を有する回転可能な軸の監視のための光学的装置であって、
光学的装置が、回転可能な軸上に配置されかつ少なくとも１つの光センサを備えさせられた少なくとも１つの光導波路を含み、光導波路を介して少なくとも１つの光センサが光信号により照会可能であり、
光学的装置が、回転可能な軸に関連して位置固定配置された送信／受信ユニットを含み、送信／受信ユニットにより光信号が送信可能であり、
光学的装置が伝送手段を含み、伝送手段により、位置固定配置された送信／受信ユニットと回転可能な軸上に配置された光導波路との間で光信号が伝送可能であり、
光学的装置が、送信／受信ユニットに付設された評価ユニットを含み、評価ユニットが、少なくとも１つの光センサから到来しかつ伝送手段によって伝送される光信号から物理量を決定し、
伝送手段が、
回転可能な軸に関連して位置固定配置され、送信／受信ユニットに付設され、かつ付設の結合手段を備えた少なくとも１つのマルチモード光導波路と、
回転可能な軸上にそれの軸線に対して離心配置され、少なくとも１つの光導波路に接続され、かつ付設の結合手段を備えた少なくとも１つの他のマルチモード光導波路と、
を有し、そして
光信号が結合手段を介してマルチモード光導波路間で伝送可能である。
【０００７】
回転可能な軸上への他のマルチモード光導波路および付設の結合手段の離心取付けによって、軸上に配置された結合手段と位置固定配置された結合手段との間での光信号の伝送が自由放射結合を介してのみ可能である。この場合に光信号は軸回転時に小さい時間範囲においてのみ結合手段間で伝送される。伝送手段がマルチモード光導波路を有するため、結合手段間の光信号の伝送時に結合損失が発生しないことが保証されている。測定時における結合区間、すなわち両結合手段間の区間の２度の通過によって、例えばマルチモード光導波路の代わりにシングルモード光導波路を使用する場合には、信頼性のある測定をほとんど不可能にする過大な結合損失が発生する。更にマルチモード光導波路の自由放射結合は、シングルモード光導波路に比べて、著しく調整費用が少なく、低精度の調整に対して敏感でない。決定すべき物理量は、特に軸の温度および／またはひずみである。
【０００８】
本発明による光学的装置の有利な構成形態が請求項１に従属する請求項からもたらされる。
【０００９】
少なくとも１つの光センサが少なくとも１つのＦＢＧセンサであり、少なくとも１つの光導波路が少なくとも１つのシングルモード光導波路であることが有利である。ＦＢＧセンサはほぼ点状の、したがって軸における局部的に非常に狭く限定された温度および／またはひずみ測定を可能にする。それに対して、基本的に同様に使用可能な光センサは、ブリユアン原理またはラマン原理にしたがって一般に、例えば数メートル以上に達し得る或る局部的積分作用を有する。点状測定、すなわち、特に検出個所の僅かなミリメータへの局部的な制限が、これらのタイプの光センサによってはほとんど達成できない。しかし、ＦＢＧセンサによれば、これは容易に可能である。この場合にＦＢＧセンサにおいては供給光信号から、その都度のブラッグ波長（中心波長）によって定まった成分が帰還反射される。ブラッグ波長は測定位置において支配的な影響量、すなわちここではＦＢＧセンサ位置における軸の温度および／またはひずみにともなって変化する。その都度の帰還反射される（部分）光信号の波長成分（または波長スペクトル）におけるこの変化は、検出すべき影響量（温度および／またはひずみ）のための尺度として使用可能である。光信号によるＦＢＧセンサの照会のためには、特に、例えば約４５ｎｍの帯域幅を有するＬＥＤ、約２０ｎｍの帯域幅を有するＳＬＤまたは約１００ｎｍの地域幅を有する調整可能なレーザのような広帯域光源が使用される。
【００１０】
この場合に、多数のＦＢＧセンサが少なくとも１つのシングルモード光導波路に沿って異なる個所に設けられていることが好ましい。回転可能な軸上に配置された少なくとも１つのマルチモード光導波路が多数のシングルモード光導波路に接続されているのもよい。したがって、一方では、位置分解された温度および／またはひずみ分布を求めることができ、他方では、例えば突然の位置的に限定された温度上昇および／またはひずみの事象の際に、事象位置を正確に局限化することができる。この場合に分解能は単に個々のＦＢＧセンサの間隔のみによって定められる。
【００１１】
ＦＢＧセンサが互いに異なるブラッグ波長を有することが有利である。例えば本発明による光学的装置により、いわゆる波長多重化法を使用する場合には、一般に１０個までのＦＢＧセンサを相前後して光導波路内に配置することができる。送信／受信ユニットからマルチモード光導波路へ供給される光信号が、このためには全てのブラッグ波長を網羅する波長範囲を持たなければならない。他方では、波長多重化法に対する代替として、いわゆる時間多重化法（ＯＴＤＲ：Ｏｐｔｉｃａｌ  Ｆｒｅｑｕｅｎｃｙ  Ｄｏｍａｉｎ  Ｒｅｆｌｅｃｔｏｍｅｔｒｙ、オプティカル・フリーケンシー・ドメイン・リフレクトメトリ）を使用する場合には、ほとんど無制限に多数のＦＢＧセンサを光導波路内に配置することができる。この場合にセンサが同一のブラッグ波長においても空間的に区別される。
【００１２】
送信／受信ユニットから送信可能な光信号は、可視波長範囲、すなわち３８０ｎｍないし７８０ｎｍの波長範囲からなる波長および／または近赤外線波長範囲（ＮＩＲ）、すなわち７８０ｎｍないし２５００ｎｍの波長範囲からなる波長を有することが好ましい。
【００１３】
送信／受信ユニットから送信可能な光信号が少なくとも１つの光パルスであるとよい。光信号の送信は軸の回転によりトリガーされることが好ましい。したがって、必要なときにのみ光信号が送信され、再び受信される。この場合に送信／受信ユニットはエネルギー効率よく動作し、この場合に同時により長い動作時間を有する。
【００１４】
評価ユニットが少なくとも１つのＣＣＤ列を備えた光学的スペクトロメータを有するとよい。しかし、評価ユニットが少なくとも１つの光検出器を備えた少なくとも１つの相補的なエッジフィルタを有するのもよい。このような評価ユニットのこの構成は最初に述べた構成に比べて低コストで実現することができる。
【００１５】
方法および装置の有利な、しかし決して制限しない実施例を以下に図面に基づいて更に詳細に説明する。具体的に示すために、図面は縮尺にしたがって描写されてなく、ある特定の特徴が概略的に示されている。個別的には、図１はシングルモード光導波路内の光センサによる回転可能な軸の監視のための光学的装置を示し、図２は多数のシングルモード光導波路内の光センサによる回転可能な軸の監視のための光学的装置を示し、図３はマルチモード光導波路と多数のシングルモード光導波路との接触面の横断面図を示し、図４はマルチモード光導波路と図３に比べて増大された外径を有する多数のシングルモード光導波路との接触面の横断面図を示し、図５は放射方向に向けられた結合区間および蛇行状に配置されたシングルモード光導波路を備えた回転可能な軸の監視のための光学的装置を示し、図６は結合区間の軸上に配置された転向手段を備えた回転可能な軸の監視のための光学的装置を示し、図７は結合区間の位置固定配置された転向手段を備えた回転可能な軸の監視のための光学的装置を示す。
【００１６】
図１ないし図７において互いに対応する部分には同一の符号が付されている。
【００１７】
図１には、本発明にしたがって、軸１０、特に機械または発電機に接続されかつ回転可能に支持された軸１０の監視のための光学的装置が示されている。この場合に、軸１０はそれの方向を持った軸線１３を中心に回転可能である。軸１０の端面が１２により示されている。軸１０の外側面１１上および／または内に、軸１０の温度および／またはひずみの検出のための光センサ２１を備えた光導波路２０が配置されている。図１に示されているように、光センサ２１はシングルモード光導波路２０内に備えられているＦＢＧセンサである。多数のＦＢＧセンサ２１の場合には、個々のセンサ２１のそれぞれが特有の中心波長、すなわち特に残りの光センサ２１の中心波長とは異なるいわゆるブラッグ波長を有する。ＦＢＧセンサ２１は、広帯域光源４１、特にＳＬＤ（＝Ｓｕｐｅｒ  Ｌｕｍｉｎｅｃｅｎｔ  Ｄｉｏｄｅ、スーパルミネッセントダイオード）から発生させられた光信号ＬＳによって照会される。この場合に、光源４１は位置固定配置された送信／受信ユニット４０の一部である。位置固定配置された送信／受信ユニット４０から発生させられて光信号ＬＳが伝送手段を介して、ＦＢＧセンサ２１を備えたシングルモード光導波路に供給される。各ＦＢＧセンサ２１においては、供給された光信号によって、それぞれのブラッグ波長を有する成分が部分反射光信号として帰還反射される。これに対して光信号ＬＳの残りの成分は当該ＦＢＧセンサ２１を通過し、場合によって次のＦＢＧセンサ２１に出会う。その際に送信／受信ユニット４０にはＦＢＧセンサ２１によって反射させられた光信号ＬＳ’が現れる。光信号ＬＳ’は個々のＦＢＧセンサ２１の部分反射光信号から成る。
【００１８】
ＦＢＧセンサ２１から到来して送信／受信ユニット４０に再び供給される光信号ＬＳ’は、光カプラ４２によって評価ユニット４３に導かれる。評価ユニット４３は、特に光電変換器、アナログ／ディジタル変換器およびディジタル信号プロセッサを有する（図示されていない）。光変換器は、例えば少なくとも１つのＣＣＤ列を有するスペクトロメータの形で、個々の部分反射信号を選択するスペクトル選択要素を有することが好ましい。これに対する代替として、光電変換器が、少なくとも１つの光検出器を有する少なくとも１つの相補的なエッジフィルタを有するとよい。光電変換にひき続いて、アナログ／ディジタル変換器においてアナログ／ディジタル変換が行なわれる。アナログ／ディジタル変換器のディジタル化された出力信号がディジタル信号プロセッサに供給され、この信号プロセッサにより、ＦＢＧセンサ２１において検出された温度および／またはひずみのための測定値Ｍ１，Ｍ２，…が求められる。
【００１９】
光源４１、光カプラ４２および評価ユニット４３が、送信／受信ユニット４０内にまとめられている。しかし、これらの下位ユニットまたはそれらの部分は構造上互いに分離可能であり、したがって共通な送信／受信ユニット４０として構成されていなくてもよい。更に、例えば固定配線された電子回路による純粋なアナログ評価も可能である。その場合には、アナログ／ディジタル変換器が存在せず、評価ユニット４３がアナログ技術により実現される。
【００２０】
伝送手段は、位置固定配置された送信／受信ユニット４０と軸１０と共に回転するシングルモード光導波路２０との間において送信／受信ユニット４０から送信されて再び受信される光信号ＬＳおよびＬＳ’を伝送するために利用される。したがって伝送手段は、送信／受信ユニット４０に付設された位置固定の部分と、回転可能な軸１０上に配置された部分とからなる。位置固定の部分は、第１の結合手段３０Ｋ、特にコリメータを備えかつ送信／受信ユニット４０に接続されたマルチモード光導波路３０を含む。他の側においては、回転可能な軸１０上に配置された伝送器部分が、第１の結合手段３０Ｋに向けられた特に同様にコリメータである第２の結合手段３１Ｋを備えかつシングルモード光導波路２０に接続されたマルチモード光導波路３１を含む。マルチモード光導波路３１とシングルモード光導波路２０との間の接続は、両光導波路２０および３１の互いに向かい合わされた端面を介して行なわれる。
【００２１】
したがって、送信／受信ユニット４０から送信された光信号ＬＳが、第１のマルチモード光導波路３０を介して第１の結合手段３０Ｋに達する。両結合手段３０Ｋ，３１Ｋが互いに向かい合っている場合には、第１の結合手段３０Ｋが光信号ＬＳをとりわけ平行化して第２の結合手段３１Ｋにほとんど損失なしに伝送する。両結合手段間において進む区間がＳにより示されている。光信号ＬＳが第２の結合手段３１Ｋから第２のマルチモード光導波路３１を通ってシングルモード光導波路２０に達し、シングルモード光導波路２０においてＦＢＧセンサ２１が光信号ＬＳにより呼出し可能である。ＦＢＧセンサ２１から反射された光信号ＬＳ’が評価のために逆経路にて戻されて再び送信／受信ユニット４０に達する。
【００２２】
送信／受信ユニット４０が、したがって光源４１も、そして場合によって評価ユニット４３も、光信号ＬＳが光パルスの形で送出されるようにパルス動作させられるとよい。両結合手段３０Ｋ，３１Ｋが伝送に適するように向かい合っている時間範囲においてのみ光パルスが送出されるように、光パルスの送出が軸の回転に同期して行なわれるとよい。この場合に送信／受信ユニット４０が、例えば軸１０の回転数の検出のための手段によってトリガーされて作動させられるとよい。
【００２３】
本発明による光学的装置の図２に示されている実施例は、多数の（ここでは、３つの）シングルモード光導波路２０がマルチモード光導波路３１に接続されていることによってのみ、図１よりの実施例と相違する。それにより、軸１０の温度および／またはひずみを位置分解して求めることができるように、（外）側面を網羅するセンサ装置が実現可能である。
【００２４】
図３には、図２に書き込まれた横断面線ＩＩＩに対する横断面が描かれている。この場合に横断面はマルチモード光導波路３１およびシングルモード光導波路２０の端面の接触面を通って経過する。この場合に、７つのシングルモード光導波路２０が、それらの横断面が最高にぴったり詰められて配列されているように一束にまとめられている。マルチモード光導波路３１の外側範囲は、光導波路コア３１１を包囲する光導波路被覆３１２である。これに類似して、光導波路被覆２０２および光導波路コア２０１を有するシングルモード光導波路２０も構成されている。シングルモード光導波路２０における光導波路コア２０１と光導波路被覆２０２との比が、マルチモード光導波路３１における光導波路コア３１１と光導波路被覆３１２との比よりも著しく小さいことに気づくべきである。光信号ＬＳおよびＬＳ’をマルチモード光導波路３１とシングルモード光導波路２０との間で伝送可能にするためには、シングルモード光導波路２０の光導波路コア２０１が、マルチモード光導波路３１の光導波路コア３１１の内側に存在しなければならない。図３に描かれた配列は、例として、マルチモード光導波路３１の２００μｍのコア直径を仮定し、シングルモード光導波路２０の８０μｍの外径を仮定している。個々のシングルモード光導波路２０のコア直径は一般に約５μｍである。
【００２５】
図４には、図３におけると同様に、図２に書き込まれた横断面線ＩＶに対する横断面が描かれている。しかしここでは、シングルモード光導波路２０の外径が大きく選ばれているので、この例では３つのシングルモード光導波路２０しかマルチモード光導波路３１に接続することができない。この場合には、例えば、マルチモード光導波路３１のコア直径が２００μｍである場合に、シングルモード光導波路２０はそれぞれ１２５μｍの外径を持つ。
【００２６】
図１および図２においては結合区間Ｓが常に軸方向に、つまり軸線１３に平行に向けられているのに対して、図５は結合区間Ｓが放射方向に、つまり軸線１３に垂直に向けられている。図１におけると同様に、１つのみのシングルモード光導波路２０がマルチモード光導波路３１に接続されている。この場合には、多数のＦＢＧセンサ２１を有するシングルモード光導波路２０が軸１０の外側面１１上および／または内に蛇行状に配置されている。このような装置によっても、軸１０の「面を網羅する」監視が可能である。もちろん、図２と同様に、多数のこの種の蛇行状に敷設されたシングルモード光導波路２０がマルチモード光導波路３１に接続されていてもよい。
【００２７】
図６および図７にはそれぞれ、放射方向に経過する部分Ｓ１および軸方向に経過する部分Ｓ２からなる結合区間Ｓが描かれている。この場合に光信号ＬＳおよびＬＳ’が反射手段３２、特に転向プリズムによって９０°だけ方向転換される。したがって、両実施例におけるそれぞれの反射手段３２は伝送手段の一部である。それぞれの反射手段３２は、保持のために、このために設けられたホルダ３３、３３ａ上に固定されている。
【００２８】
図６においては、ホルダ３３が軸１０上において第２の結合手段３１Ｋの近くに固定されている。図７によるホルダ３３ａは、回転可能な軸１０に関連して位置固定配置されている。しかも、ホルダ３３ａは、図７に描かれているように、第１の結合手段３０Ｋの固定のために設けられている。ホルダ３３ａと軸１０との接触を避けるために、第２の結合手段３１Ｋが例えば台座３２上に固定されている。
【図面の簡単な説明】
【００２９】
【図１】シングルモード光導波路内の光センサによる回転可能な軸の監視のための光学的装置を示す概略図
【図２】多数のシングルモード光導波路内の光センサによる回転可能な軸の監視のための光学的装置を示す概略図
【図３】マルチモード光導波路と多数のシングルモード光導波路との接触面を示す横断面図
【図４】マルチモード」光導波路と図３に比べて増大された外径を有する多数のシングルモード光導波路との接触面を示す横断面図
【図５】放射方向に向けられた結合区間および蛇行状に配置されたシングルモード光導波路を備えた回転可能な軸の監視のための光学的装置を示す概略図
【図６】結合区間の軸上に配置された転向手段を備えた回転可能な軸の監視のための光学的装置を示す概略図
【図７】結合区間の位置固定配置された転向手段を備えた回転可能な軸の監視のための光学的装置を示す概略図
【符号の説明】
【００３０】
１０            回転可能な軸
１１            外側面
１２            端面
１３            軸線
２０            シングルモード光導波路
２１            光センサ（ＦＢＧセンサ）
３０            マルチモード光導波路
３０Ｋ          結合手段
３１            マルチモード光導波路
３１Ｋ          結合手段
３２            反射手段
３３            ホルダ
３３ａ          ホルダ
３４            台座
４０            送信／受信ユニット
４１            光源
４２            光カプラ
４３            評価ユニット
２０１          光導波路コア
２０２          光導波路被覆
３１１          光導波路コア
３１２          光導波路被覆
ＬＳ            供給された光信号
ＬＳ’          反射された光信号
Ｍ１，Ｍ２，…  測定値
Ｓ              結合区間
Ｓ１            放射方向に経過する部分
Ｓ２            軸方向に経過する部分
【図１】
2010502967.tif 000003
【図２】
2010502967.tif 000004
【図３】
2010502967.tif 000005
【図４】
2010502967.tif 000006
【図５】
2010502967.tif 000007
【図６】
2010502967.tif 000008
【図７】
2010502967.tif 000009
【国際調査報告】
2010502967.tif 000010
2010502967.tif 000011
2010502967.tif 000012
2010502967.tif 000013
2010502967.tif 000014
2010502967.tif 000015